【手続補正書】
【提出日】平成16年6月18日(2004.6.18)
【手続補正１】
【補正対象書類名】明細書
【補正対象項目名】特許請求の範囲
【補正方法】変更
【補正の内容】
【特許請求の範囲】
【請求項１】
冷媒を圧縮して吐出し、かつ冷凍機油によって潤滑される圧縮機構部と、この圧縮機構部を駆動する固定子および回転子とから構成される電動機部を備えた冷媒圧縮機において、
上記固定子は、円環状継鉄であるヨーク部と、このヨーク部の内側または外側に放射状に設置した複数個のティース部とから構成される固定子鉄心を備え、この固定子鉄心のティース部に絶縁部材を介して巻線を巻装してなり、
上記絶縁部材は、上記ティース部に嵌め込まれる樹脂モールド成形品、もしくはティース部と一体モールド化され、内側鍔部と外側鍔部および、これら内外側鍔部を連結し、かつ巻線が巻回される巻き胴部とから構成されてなり、
この絶縁部材をモールド化する際の樹脂注入口であるゲートの位置を、少なくともその１つは、上記内側鍔部と外側鍔部のいずれか一方に設けたことを特徴とする冷媒圧縮機。
【請求項２】
冷媒を圧縮して吐出し、かつ冷凍機油によって潤滑される圧縮機構部と、この圧縮機構部を駆動する固定子および回転子とから構成される電動機部を備えた冷媒圧縮機において、
上記固定子は、円環状継鉄であるヨーク部と、このヨーク部の内側または外側に放射状に設置した複数個のティース部とから構成される固定子鉄心を備え、この固定子鉄心のティース部に絶縁部材を介して巻線を巻装してなり、
上記絶縁部材は、内側鍔部と外側鍔部および、これら内外側鍔部を連結する巻き胴部からなる樹脂モールド成形品から構成され、曲げ弾性率が５ＧＰａ以上で１８ＧＰａ以下、曲げ強度が２００ＭＰａ以上である樹脂モールド素材が選択されることを特徴とする冷媒圧縮機。
【請求項３】
冷媒を圧縮して吐出し、かつ冷凍機油によって潤滑される圧縮機構部と、この圧縮機構部を駆動する固定子および回転子とから構成される電動機部を備えた冷媒圧縮機において、
上記固定子は、円環状継鉄であるヨーク部と、このヨーク部の内側または外側に放射状に設置した複数個のティース部とから構成される固定子鉄心を備え、この固定子鉄心のティース部に絶縁部材を介して巻線を巻装してなり、
上記絶縁部材は、内側鍔部と外側鍔部および、これら内外側鍔部を連結する巻き胴部からなる樹脂モールド成形品から構成され、巻き胴部の厚さ寸法が内側鍔部の厚さ寸法より１０％以上大であり、内側鍔部と巻き胴部との交差するコーナ部がＲ１ｍｍ以上に設定されることを特徴とする冷媒圧縮機。
【請求項４】
上記絶縁部材をモールド化する際のゲートは、１つのティース部に対して内側鍔部先端に１ヶ所もしくは内側鍔部先端と外側鍔部先端との２ヶ所、もしくは内外側鍔部のいずれかと巻き胴部との２ヶ所に設けられることを特徴とする請求項１ないし請求項３のいずれかに記載の冷媒圧縮機。
【請求項５】
上記絶縁部材を構成する樹脂モールド素材として、ＰＰＳ（ポリフェニレンサルファイド）、ＰＡ（ポリアミド）、ＰＢＴ（ポリブチレンテレフタレート）、ＬＣＰ（半・全芳香族ポリエステル［液晶ポリマー］）のいずれかにおけるガラス繊維入りもしくはガラス繊維なしの素材が選択され、離型剤として天然パラフィンワックスを含まないことを特徴とする請求項１ないし請求項３のいずれかに記載の冷媒圧縮機。
【請求項６】
上記ＰＰＳ（ポリフェニレンサルファイド）として、リニアタイプのガラス繊維入り素材で、かつオリゴマ含有率が１．０ｗｔ％以下であり、
上記ＰＢＴ（ポリブチレンテレフタレート）として、ガラス繊維入り素材で、かつオリゴマ含有率が１．５ｗｔ％以下であることを特徴とする請求項５記載の冷媒圧縮機。
【請求項７】
上記電動機部は、回転子に無着磁の永久磁石が埋設され、上記固定子の各巻線に電流を通すことにより回転子の永久磁石に対する着磁処理がなされ、
上記固定子のスロット数を６個、上記回転子の極数を４極に設定したことを特徴とする請求項１ないし請求項３のいずれかに記載の冷媒圧縮機。
【請求項８】
上記冷媒として、ＨＣＦＣ、ＨＦＣ、ＨＣが用いられ、上記冷凍機油として、鉱油、アルキルベンゼン系油、エステル系油と、ポリビニールエーテル系油を、それぞれ組合わせてなることを特徴とする請求項１ないし請求項３のいずれかに記載の冷媒圧縮機。
【手続補正２】
【補正対象書類名】明細書
【補正対象項目名】００１２
【補正方法】変更
【補正の内容】
【００１２】
上記目的を満足するため、本発明の冷媒圧縮機は、請求項２として、冷媒を圧縮して吐出し、かつ冷凍機油によって潤滑される圧縮機構部と、この圧縮機構部を駆動する固定子および回転子とから構成される電動機部を備え、上記固定子は、円環状継鉄であるヨーク部と、このヨーク部の内側または外側に放射状に設置した複数個のティース部とから構成される固定子鉄心を備え、この固定子鉄心のティース部に絶縁部材を介して巻線を巻装してなり、上記絶縁部材は、内側鍔部と外側鍔部および、これら内外側鍔部を連結する巻き胴部からなる樹脂モールド成形品から構成され、曲げ弾性率が５ＧＰａ以上で１８ＧＰａ以下、曲げ強度が２００ＭＰａ以上である樹脂モールド素材が選択されることを特徴とする。
【手続補正３】
【補正対象書類名】明細書
【補正対象項目名】００１３
【補正方法】変更
【補正の内容】
【００１３】
上記目的を満足するため、本発明の冷媒圧縮機は、請求項３として、冷媒を圧縮して吐出し、かつ冷凍機油によって潤滑される圧縮機構部と、この圧縮機構部を駆動する固定子および回転子とから構成される電動機部を備え、上記固定子は、円環状継鉄であるヨーク部と、このヨーク部の内側または外側に放射状に設置した複数個のティース部とから構成される固定子鉄心を備え、この固定子鉄心のティース部に絶縁部材を介して巻線を巻装してなり、上記絶縁部材は、内側鍔部と外側鍔部および、これら内外側鍔部を連結する巻き胴部からなる樹脂モールド成形品から構成され、巻き胴部の厚さ寸法が内側鍔部の厚さ寸法より１０％以上大であり、内側鍔部と巻き胴部との交差するコーナ部がＲ１ｍｍ以上に設定されることを特徴とする。
【手続補正４】
【補正対象書類名】明細書
【補正対象項目名】００１４
【補正方法】変更
【補正の内容】
【００１４】
請求項４として、請求項１ないし請求項３のいずれかに記載の冷媒圧縮機において上記絶縁部材をモールド化する際のゲートは、１つのティース部に対して内側鍔部先端に１ヶ所もしくは内側鍔部先端と外側鍔部先端との２ヶ所、もしくは内外側鍔部のいずれかと巻き胴部との２ヶ所に設けられることを特徴とする。
【手続補正５】
【補正対象書類名】明細書
【補正対象項目名】００１５
【補正方法】変更
【補正の内容】
【００１５】
請求項５として、請求項１ないし請求項３のいずれかに記載の冷媒圧縮機において上記絶縁部材を構成する樹脂モールド素材として、ＰＰＳ（ポリフェニレンサルファイド）、ＰＡ（ポリアミド）、ＰＢＴ（ポリブチレンテレフタレート）、ＬＣＰ（半・全芳香族ポリエステル［液晶ポリマー］）のいずれかにおけるガラス繊維入りもしくはガラス繊維なしの素材が選択され、離型剤として天然パラフィンワックスを含まないことを特徴とする。
【手続補正６】
【補正対象書類名】明細書
【補正対象項目名】００１７
【補正方法】変更
【補正の内容】
【００１７】
請求項７として、請求項１ないし請求項３のいずれかに記載の冷媒圧縮機において上記電動機部は、回転子に無着磁の永久磁石が埋設され、上記固定子の各巻線に電流を通すことにより回転子の永久磁石に対する着磁処理がなされ、上記固定子のスロット数を６個、上記回転子の極数を４極に設定したことを特徴とする。
【手続補正７】
【補正対象書類名】明細書
【補正対象項目名】００１８
【補正方法】変更
【補正の内容】
【００１８】
請求項８として、請求項１ないし請求項３のいずれかに記載の冷媒圧縮機において上記冷媒として、ＨＣＦＣ、ＨＦＣ、ＨＣが用いられ、上記冷凍機油として、鉱油、アルキルベンゼン系油、エステル系油と、ポリビニールエーテル系油を、それぞれ組合わせてなることを特徴とする。